(57)【要約】【課題】確実且最新の情報の蓄積、提供を可能にすると共に、蓄積、提供される情報を利用者が容易に検索可能且利用可能な情報の提供を課題とする。【解決手段】情報提供者端末に対して情報の入力と送信を促す工程と、情報提供者端末から情報を受信する工程と、情報提供者端末から受信した情報を校閲済み情報が付加されていない未校閲情報として記憶する工程と、記憶された情報から未校閲情報を抽出する工程と、抽出した未校閲情報の校閲を情報責任者に促す工程と、情報責任者端末から校閲済みの情報を受信する工程と、受信した校閲された情報に校閲済み情報を付加して校閲済情報として記憶する工程と、情報受給者端末からの要求に従って記憶した情報を提供する工程を備える情報提供方法。【選択図】    図２
2004288001.tif 000002
【特許請求の範囲】
【請求項１】
ネットワークを介して行う情報の提供方法において、情報提供者端末に対して情報の入力と送信を促す工程と、情報提供者端末から情報を受信する工程と、情報提供者端末から受信した情報を校閲済み情報が付加されていない未校閲情報として記憶する工程と、記憶された情報から未校閲情報を抽出する工程と、抽出した未校閲情報の校閲を情報責任者に促す工程と、情報責任者端末から校閲済みの情報を受信する工程と、受信した校閲された情報に校閲済み情報を付加して校閲済情報として記憶する工程と、情報受給者端末からの要求に従って記憶した情報を提供する工程を備えることを特徴とする情報提供方法。
【請求項２】
情報提供者端末に対して情報の入力と送信を促す工程において、情報提供者端末の情報の登録要求に従って情報提供者にオフライン画面と送信プログラムを送信する工程と、情報提供者端末との接続を切断する工程と、情報提供者端末へ情報の入力後に情報提供者端末との接続を回復する工程とを備え、情報提供者端末から情報を受信する工程は前記送信プログラムを用いて行われることを特徴とする請求項１記載の情報提供方法。
【請求項３】
情報提供者端末に対して入力を促す情報には情報の重要度を含むことを特徴とする請求項１又は請求項２記載の情報提供方法。
【請求項４】
情報提供者端末に対して入力を促す情報には情報提供者以外の者への注意喚起情報を含み、情報受給者端末からの要求に従って記憶した情報を提供する工程において、本来はその情報へのアクセス権限を有さない情報受給者へもその者への注意を喚起された情報を提供することを特徴とする請求項１乃至請求項３記載の情報提供方法。
【請求項５】
情報提供者端末から受信した情報を校閲済み情報が付加されていない未校閲情報として記憶する際に情報ＩＤを付与して記憶する工程と、情報提供者端末に情報の選択を促す工程と、選択された情報を記憶された情報から抽出する工程と、抽出した情報を情報提供者端末に提供して訂正を促す工程と、情報提供者端末から訂正後の情報を受信する工程と、訂正後の情報に新たな情報ＩＤを付与すると共に訂正前の情報の情報ＩＤを訂正後の情報の一部として含ませて訂正後の情報を未校閲予定情報として記憶する工程と、校閲された訂正後の情報に校閲済み情報を付加して記憶する際に訂正前の情報を削除する工程とを備えることを特徴とする請求項１乃至請求項４記載の情報提供方法。
【請求項６】
情報提供者端末に情報の選択を促す工程と、選択された情報を記憶された情報から抽出する工程と、抽出した情報を情報提供者端末に提供して新規登録を促す工程と、情報提供者端末から提供した情報の新規登録要求を受信する工程と、提供した情報の少なくとも１項目が空欄の情報を提供し、該空欄部への情報の記入を促す工程と、情報提供者端末から空欄に記入された情報を受信する工程と、該受信した情報に新たな情報ＩＤを付与して未校閲予定情報として記憶する工程とを備えることを特徴とする請求項１乃至請求項５記載の情報提供方法。
【請求項７】
情報受給者端末からの要求に従って記憶した情報を提供する工程において、情報受給者端末から情報の提供を要求された場合に、情報の重要度又は／及び未校閲情報の要否を含む検索条件の指定を促す工程と、選択された情報且情報受給者のアクセス権限の範囲内の情報を抽出する工程と、抽出された情報を情報受給者端末へ提供する工程とを備えることを特徴とする請求項１乃至請求項６記載の情報提供方法。
【請求項８】
情報受給者端末からの要求に従って記憶した情報を提供する工程において、情報受給者端末に情報の選択を促す工程と、情報受給者端末に選択された情報を記憶した情報から抽出する工程と、抽出した情報を情報受給者端末に提供すると共に、利用方法の選択を促す工程と、情報受給者端末に選択された利用方法に従って、提供した情報の形式を他の情報の形式に変換する工程と、該変換後の形式にて情報を提供する工程を供えることを特徴とする請求項１乃至請求項７記載の情報提供方法。
【請求項９】
前記情報は予定情報であることを特徴とする請求項１乃至請求項８記載の情報提供方法。
【請求項１０】
上記請求項１乃至請求項９記載の情報提供方法をコンピュータに実行させるためのプログラム。
【請求項１１】
ネットワークを介して情報提供者端末から情報を収集すると共に、情報受給者端末に情報を提供する情報提供装置において、情報提供者端末及び情報受給者端末との要求、情報、コンテンツの送受信を行う入出力手段と、受信した情報に情報ＩＤを付与し、或いは校閲済みの情報を付与して記憶手段に記憶させる登録処理手段と、情報提供者端末又は情報受給者端末からの要求に対しその要求の権限及び提供可能な情報の範囲を判断するアクセス権限判断手段と、受信した情報を記憶する記憶手段と、情報受給者端末からの情報の提供の要求に基づいて情報記憶手段に記憶された情報から提供する情報を抽出する抽出手段と、抽出された情報を用いてコンテンツを作成するコンテンツ作成手段とを備えることを特徴とする情報提供装置。
【請求項１２】
情報のデータ形式を変換するデータ形式変換手段を備えることを特徴とする請求項１１記載の情報提供装置。
【請求項１３】
情報の表示形式を変換する表示形式変換手段を備えることを特徴とする請求項１１又は請求項１２記載の情報提供装置。
【請求項１４】
表示形式変換手段は電文作成手段又は／及び表作成手段であることを特徴とする請求項１３記載の情報提供装置。
【請求項１５】
ネットワークを介して情報提供者端末から情報を収集すると共に、情報受給者端末に情報を提供する情報提供装置と情報提供者端末と情報責任者端末と情報受給者端末が接続されている情報提供システムにおいて、情報提供装置は情報提供者端末、情報責任者端末及び情報受給者端末からの情報及び要求を受信し、情報を送信する入出力手段と、受信した情報に情報ＩＤを付与し、或いは校閲済みの情報を付与して記憶手段に送る登録手段と、受信した情報を記憶する情報記憶手段と、情報提供者端末又は情報受給者端末からの要求に対しその要求の権限及び提供可能な情報の範囲を判断するアクセス権限判断手段と、情報提供者端末、情報責任者端末及び情報受給者端末からの情報の提供の要求に基づいて情報記憶手段に記憶された情報から提供する情報を抽出する抽出手段と、抽出された情報を用いてコンテンツを作成するコンテンツ作成手段とを備え、情報提供者端末、情報責任者端末及び情報受給者端末は情報提供装置からの情報を受信し、情報提供装置に要求を送信する送受信手段と、情報を入力する入力手段と情報を表示する表示手段を備えることを特徴とする情報提供システム。
【発明の詳細な説明】
【０００１】
【発明の属する技術分野】本発明は、ネットワークを介して行う情報の提供に関し、詳しくは、確実且最新の情報の蓄積を可能にすると共に、蓄積された情報を利用者が容易に検索可能且利用可能な提供方法及び装置並びに情報の提供プログラム、情報の提供システムに関する。
【０００２】
【従来の技術】ネットワークを介して行う情報の蓄積及び提供の従来技術に関しては、サーバへの情報の蓄積を要求する者が情報をサーバへ送信することによりサーバへ該情報が登録され、自己の識別ＩＤにより自己が送信した既登録の情報のみを訂正及び削除可能であり、各種クライアントはサーバに蓄積された情報の提供を要求、閲覧可能な技術が提案されている（例えば、特許文献１参照。）。
【０００３】
しかし、この従来技術においては、多数のクライアントから送信される様々な情報からクライアントの所望の情報を一度に提供できず、複数の情報を得るためには所望情報数に応じた操作数が必要であり、情報獲得の手続きが煩雑であるという欠点があった。又、サーバへ送信、登録される情報はその情報を入力した者が最終的に確認した内容であり、そのままクライアントへ提供されることになっている。そのため、情報の入力者によるチェックミス等により正確でない情報がクライアントへ提供される危険性があった。特に情報の変更に急を有する場合にはこのような危険性が増していた。さらに、当該情報の入力者とその情報の責任者等が異なる場合には、登録された情報を責任者が知らないといったことも起こり、情報の内容によっては情報を登録した会社等の信頼を低下させる危険性もあった。
【０００４】
又、情報をサーバへ送信する際には情報を入力する時点から送信完了までの間接続回線を占有するという欠点もあった。
【０００５】
又、例えば予定の情報の場合既登録の情報と日付のみを変えて来年の予定の情報として既登録の情報とは別の情報として登録したい場合には、情報の総ての項目を再入力する必要がある等、情報の蓄積のための操作が煩雑であった。
【０００６】
又、アクセス権に応じて提供される情報をより適切に一覧表示すると共にクライアントによる提供可能な情報の選択を容易にするために、クライアントからサーバに情報提供の要求がされたときにサーバはユーザーＩＤと検索条件に基づいて表示許可のアクセス権が設定されている情報を検索し、検索された情報のみを一覧表示する技術が提案されている（例えば、特許文献２参照。）。
【０００７】
しかし、ここで提案されている技術では、クライアントに提供される情報は各クライアント毎に画一的に決定されてしまい、クライアントが情報量の多寡を選択することができないという欠点を有している。又、情報そのものには重要性の高低の区別がなく、クライアントが自己にとっての重要性が高いものから低いものまで適宜の範囲で情報を選択することができないという欠点を有している。更に、或るクライアントにとって重要な情報であっても、一見そのクライアントには必要ではないと思われる情報であり、当該クライアントもその情報に注意を払わない場合には、クライアントに注意を喚起する手段がないので、情報の提供が充分ではないという欠点を有している。
【０００８】
又、利用者の効率的な情報の取得を可能とするために、複数の情報の要約を利用者へ送信し、利用者にその情報から必要な情報を選択、送信させて、利用者に選択された情報を抽出してホームページ又は電子メールを作製して該情報を利用者へ提供する技術も提案されている（例えば、特許文献３参照。）。
【０００９】
しかし、上記の従来技術では提供される情報はホームページ又は電子メールにて提供されるために、その情報を利用、加工して他の情報提供形態に編集する操作が煩雑である等提供された情報の利用、加工が容易ではないという欠点がある。
【００１０】
【特許文献１】特開平９−３４９０２
【特許文献２】特開２００３−１６０６８
【特許文献３】特開２００３−１６２０５
【００１１】
【発明が解決しようとする課題】そこで、本発明は、ネットワークを介して行う情報の提供において、第一に多数の情報提供者から送信される様々な情報を効率よく正確且最新の情報として一元管理すると共に、これらの情報から利用者の所望の情報を一度に提供可能にすることを目的とする。又、第二に情報の蓄積に際して通信回線の占有の回避を可能とすることを目的とする。又、第三に情報を蓄積する際の入力手続きを容易にすることを目的とする。又、第四に利用者のアクセス権に応じた情報を提供すると共に、利用者はアクセス権の範囲において所望の情報量の取得を可能にすることを目的とする。又、第五に多数ある情報から利用者が必要な情報の選択を容易にすることを目的とする。第六に提供された情報の利用、加工を容易にすることを目的とする。
【００１２】
【課題を解決するための手段】上記課題を解決するための本発明の第一の手段は、ネットワークを介して行う情報の提供方法において、情報提供者端末に対して情報の入力と送信を促す工程と、情報提供者端末から情報を受信する工程と、
情報提供者端末から受信した情報を校閲済み情報が付加されていない未校閲情報として記憶する工程と、記憶された情報から未校閲情報を抽出する工程と、抽出した未校閲情報の校閲を情報責任者に促す工程と、情報責任者端末から校閲済みの情報を受信する工程と、受信した校閲された情報に校閲済み情報を付加して校閲済情報として記憶する工程と、情報受給者端末からの要求に従って記憶した情報を提供する工程を備えることを特徴とする情報提供方法である。
【００１３】
この方法により多数の情報提供者から送信される様々な情報を効率よく正確且最新の情報として一元管理すると共に、これらの情報からユーザーの所望の情報を一度に提供することが可能になる。
【００１４】
又、第二の手段は、第一の手段において、情報提供者端末に対して情報の入力と送信を促す工程において、情報提供者端末の情報の登録要求に従って情報提供者にオフライン画面と送信プログラムを送信する工程と、情報提供者端末との接続を切断する工程と、情報提供者端末へ情報の入力後に情報提供者端末との接続を回復する工程とを備え、情報提供者端末から情報を受信する工程は前記送信プログラムを用いて行われることを特徴とする情報提供方法である。
【００１５】
この方法により提供する情報の蓄積に際して通信回線の占有の回避を可能とすることが可能となる。
【００１６】
又、第三の手段は、第一又は第二の手段において、情報提供者端末に対して入力を促す情報には情報の重要度を含むことを特徴とする情報提供方法である。
【００１７】
又、第四の手段は、第一乃至第三の手段において、情報提供者端末に対して入力を促す情報には情報提供者以外の者への注意喚起情報を含み、情報受給者端末からの要求に従って記憶した情報を提供する工程において、本来はその情報へのアクセス権限を有さない情報受給者へもその者への注意を喚起された情報を提供することを特徴とする情報提供方法である。
【００１８】
これらの方法により多数ある情報から利用者が必要な情報の選択を容易にすることが可能となる。
【００１９】
又、第五の手段は、第一乃至第四の手段において、情報提供者端末から受信した情報を校閲済み情報が付加されていない未校閲情報として記憶する際に情報ＩＤを付与して記憶する工程と、情報提供者端末に情報の選択を促す工程と、
選択された情報を記憶された情報から抽出する工程と、抽出した情報を情報提供者端末に提供して訂正を促す工程と、情報提供者端末から訂正後の情報を受信する工程と、訂正後の情報に新たな情報ＩＤを付与すると共に訂正前の情報の情報ＩＤを訂正後の情報の一部として含ませて訂正後の情報を未校閲予定情報として記憶する工程と、校閲された訂正後の情報に校閲済み情報を付加して記憶する際に訂正前の情報を削除する工程とを備えることを特徴とする情報提供方法である。
【００２０】
この方法により多数の情報提供者から送信される様々な情報を効率よく正確且最新の情報として一元管理すると共に多数ある情報から利用者が必要な情報の選択を容易にすることが可能となる。
【００２１】
又、第六の手段は、第一乃至第五の手段において、情報提供者端末に情報の選択を促す工程と、選択された情報を記憶された情報から抽出する工程と、抽出した情報を情報提供者端末に提供して新規登録を促す工程と、情報提供者端末から提供した情報の新規登録要求を受信する工程と、提供した情報の少なくとも１項目が空欄の情報を提供し、該空欄部への情報の記入を促す工程と、情報提供者端末から空欄に記入された情報を受信する工程と、該受信した情報に新たな情報ＩＤを付与して未校閲予定情報として記憶する工程とを備えることを特徴とする情報提供方法である。
【００２２】
この方法により情報を蓄積する際の情報提供者の入力手続きを容易にすることが可能となり、ひいては正確且最新の情報として一元管理することが可能となる。
【００２３】
又、第七の手段は、第一乃至第六の手段において、情報受給者端末からの要求に従って記憶した情報を提供する工程において、情報受給者端末から情報の提供を要求された場合に、情報の重要度又は及び未校閲情報の要否を含む検索条件の指定を促す工程と、選択された情報且情報受給者のアクセス権限の範囲内の情報を抽出する工程と、抽出された情報を情報受給者端末へ提供する工程とを備えることを特徴とする情報提供方法である。
【００２４】
この方法により利用者のアクセス権に応じた情報を提供すると共に、利用者はアクセス権の範囲において所望の情報量の取得を可能にすることが可能になる。
【００２５】
又、第八の手段は、第一乃至第七の手段において、情報受給者端末からの要求に従って記憶した情報を提供する工程において、情報受給者端末に情報の選択を促す工程と、情報受給者端末に選択された情報を記憶した情報から抽出する工程と、抽出した情報を情報受給者端末に提供すると共に、利用方法の選択を促す工程と、情報受給者端末に選択された利用方法に従って、提供した情報の形式を他の情報の形式に変換する工程と、該変換後の形式にて情報を提供する工程を供えることを特徴とする情報提供方法である。
【００２６】
この方法により提供された情報の利用、加工を容易にすることが可能となる。
【００２７】
又、第九の手段は、第一乃至第八の手段において、前記情報は予定情報であることを特徴とする情報提供方法である。
【００２８】
又、第十の手段は、第一乃至第九の手段たる情報提供方法をコンピュータに実行させるためのプログラムである。
【００２９】
又、第十一の手段は、ネットワークを介して情報提供者端末から情報を収集すると共に、情報受給者端末に情報を提供する情報提供装置において、情報提供者端末及び情報受給者端末との要求、情報、コンテンツの送受信を行う入出力手段と、受信した情報に情報ＩＤを付与し、或いは校閲済みの情報を付与して記憶手段に記憶させる登録処理手段と、情報提供者端末又は情報受給者端末からの要求に対しその要求の権限及び提供可能な情報の範囲を判断するアクセス権限判断手段と、受信した情報を記憶する記憶手段と、情報受給者端末からの情報の提供の要求に基づいて情報記憶手段に記憶された情報から提供する情報を抽出する抽出手段と、抽出された情報を用いてコンテンツを作成するコンテンツ作成手段とを備えることを特徴とする情報提供装置である。
【００３０】
この装置によれば、多数の情報提供者から送信される様々な情報を効率よく正確且最新の情報として一元管理すると共に、これらの情報から利用者の所望の情報を一度に提供することが可能になる。
【００３１】
又、第十二の手段は、第十一の手段において、情報のデータ形式を変換するデータ形式変換手段を備えることを特徴とする情報提供装置である。
【００３２】
又、第十三の手段は、第十一乃至第十二の手段において、情報の表示形式を変換する表示形式変換手段を備えることを特徴とする情報提供装置である。
【００３３】
又、第十四の手段は、第十三の手段において、表示形式変換手段は電文作成手段又は／及び表作成手段であることを特徴とする情報提供装置である。
【００３４】
これらの装置によれば利用者は提供された情報の利用、加工を容易にすることが可能となる。
【００３５】
又、第十五の手段は、ネットワークを介して情報提供者端末から情報を収集すると共に、情報受給者端末に情報を提供する情報提供装置と情報提供者端末と情報責任者端末と情報受給者端末が接続されている情報提供システムにおいて、情報提供装置は情報提供者端末、情報責任者端末及び情報受給者端末からの情報及び要求を受信し、情報を送信する入出力手段と、受信した情報に情報ＩＤを付与し、或いは校閲済みの情報を付与して記憶手段に送る登録手段と、受信した情報を記憶する情報記憶手段と、情報提供者端末又は情報受給者端末からの要求に対しその要求の権限及び提供可能な情報の範囲を判断するアクセス権限判断手段と、情報提供者端末、情報責任者端末及び情報受給者端末からの情報の提供の要求に基づいて情報記憶手段に記憶された情報から提供する情報を抽出する抽出手段と、抽出された情報を用いてコンテンツを作成するコンテンツ作成手段とを備え、情報提供者端末、情報責任者端末及び情報受給者端末は情報提供装置からの情報を受信し、情報提供装置に要求を送信する送受信手段と、情報を入力する入力手段と情報を表示する表示手段を備えることを特徴とする情報提供システムである。
【００３６】
このシステムにより、多数の情報提供者から送信される様々な情報を効率よく正確且最新の情報として一元管理すると共に、これらの情報から利用者の所望の情報を一度に提供可能にすること、提供された情報の利用、加工を容易にすることが可能になる。
【００３７】
【発明の実施の形態】以下、本発明の実施の形態を図にしたがって説明する。尚、本発明により提供され得る情報は様々であるが、以下提供される情報が予定情報である場合を例に説明する。ここで予定情報とは日本国内或いは諸外国の政治、経済、社会、科学、文化、スポーツ等における今後の行事等の題名（タイトル）、日程、内容、開催場所、主催者等に関する情報を云う。
【００３８】
図１は本発明情報提供システムの一実施例の概念図であり、情報提供システム１は情報提供者からの情報を蓄積し、情報受給者に情報を提供する情報提供装置２、ネットワーク３、情報提供装置１へネットワーク３を介して情報を供給する情報提供者端末４１、情報提供装置１に記憶される情報の校閲を行う情報責任者端末４２、情報提供装置１からネットワーク３を介して情報を受給する情報受給者端末４３を備える構成となっている。
【００３９】
具体的には情報提供装置２はサーバにより構成され、ネットワーク３はＬＡＮ（Ｌｏｃａｌ  Ａｒｅａ  Ｎｅｔｗｏｒｋ）やインターネット等であり、情報提供者端末４１、情報責任者端末４２及び情報受給者端末４３はパーソナルコンピュータ、携帯電話等の通信機能即ち送受信手段、モニタ等の表示手段、キーボードやマウス等の入力手段を備えた情報処理装置で構成されている。勿論本情報提供システム１が備える情報提供者端末４１、情報責任者端末４２及び情報受給者端末４３は夫々１以上の適宜数を備えてもよく、情報提供者端末４１、情報責任者端末４２及び情報受給者端末４３は夫々他の端末として機能することも可能である。
【００４０】
図２は本発明情報提供装置の一実施例の機能的構成ブロック図を示したものであり、情報提供装置２は入出力手段２１、記憶手段２２、記憶手段２２に格納された情報データベース２２０及びユーザー管理データーベース２２２、アクセス権限判断手段２３、登録処理手段２４、情報抽出手段２５、コンテンツ作成手段２６、データ形式変換手段２７、表示形式変換手段たる電文作成手段２８、表作成手段２９を備えている。
【００４１】
入出力手段２１は情報提供者端末４１及び情報責任者端末４２からの情報を受信し、情報責任者端末４２及び情報受給者端末４３へ情報を送信する手段であり、ネットワーク３と情報提供装置２のインターフェイスであり、具体的にはモデム等により実現する。
【００４２】
記憶手段２２は各種プログラムやデータベースを記憶する手段であり、予定情報データベース２２０、ユーザー管理データベース２２２、後述する一括送信プログラム等が格納されており、具体的にはＲＯＭ、ＲＡＭ、ＨＤ等により実現する。
【００４３】
予定情報データベース２２０は多数の予定情報を格納している。予定情報は１レコード毎に例えば題名、日程、内容、開催場所、主催者、情報ＩＤ、重要度、ジャンル、情報提供者等の項目を含んで構成されている。ユーザー管理データベース２２２はユーザーの種類、具体的には情報提供者、情報責任者及び情報受給者の別、氏名、ユーザーＩＤ、情報の重要度におけるアクセス権限等の項目を含んで構成されている。
【００４４】
アクセス権限判断手段２３は情報提供者の情報提供の権限の有無、情報責任者の校閲権限の有無、情報受給者の情報受給権限の有無、即ち情報データベース２２０へのアクセス権限を判断し、そのアクセス権の範囲を後述する登録処理手段２４又は情報抽出手段２５に指示する手段であり、具体的には記憶手段２２に記憶されたプログラムを実行して実現する。アクセス権限の判断は情報提供者端末４１、情報責任者端末４２及び情報受給者端末４３からのアクセス要求時に受信するユーザーＩＤと同一のユーザーＩＤをユーザー管理データベース２２２から検索して該ユーザーのデータに含まれるアクセス権限を抽出して判断する。
【００４５】
登録処理手段２４は入出力手段２１にて受信した情報提供者端末４１及び情報責任者端末４２からの情報を記憶手段２２、詳しくは情報データベース２２０に記憶させる手段であり、又、情報提供者端末４１からの情報にシリアルナンバー等の情報ＩＤを付与する手段である。具体的には記憶手段２２に記憶されたプログラムを実行して実現する。
【００４６】
情報抽出手段２５は入出力手段２１により受信した情報要求及びアクセス権限判断手段２３から指示されたアクセス権限に基づいて情報データベース２２０から適宜の情報を抽出する手段であり、具体的には記憶手段２２に記憶されたプログラムを実行して実現する。
【００４７】
コンテンツ作成手段２６は情報抽出手段２５により抽出された情報を用いてコンテンツを作成する。具体的には記憶手段２２に記憶されたプログラムを実行して実現する。
【００４８】
データ形式変換手段２７はコンテンツ作成手段２６により作成されて入出力手段２１により情報供給者４３に提供された情報のデータ形式を情報供給者４３から受信した利用方法に従って他のデータ形式に変換する手段であり、具体的にはＨＴＭＬ形式の情報からＸＭＬ形式或いはＣＳＶ形式のデータに変換する手段であり、具体的には記憶手段２２に記憶されたコンバータ等のプログラムを実行して実現する。
【００４９】
表示形式変換手段はコンテンツ作成手段２６により作成されて入出力手段２１により情報供給者４３に提供された情報の表示形式を情報供給者４３から受信した利用方法に従って他の表示形式に変換する手段であり、具体的には電文作成手段２８は一覧表示形式の情報から電文形式へ、表作成手段２９は表形式の表示方式に変換する手段であり、具体的には記憶手段２２に記憶されたプログラムを実行して実現する。
【００５０】
情報提供者端末４１、情報責任者端末４２及び情報受給者端末４３は、ネットワーク３を介して情報提供装置２に接続可能に構成され、情報提供装置２とデータを送受信可能な送受信手段、情報の入出力のためのキーボードやポインティングデバイス等の入力手段及びモニター、プリンター等の出力手段、ブラウザ、記憶手段を備えている。
【００５１】
尚、情報提供装置２は１台のサーバとして説明しているが、このような構成に限定されず、複数台のサーバをＬＡＮ等のネットワークを介して接続して夫々のサーバに適宜上記の手段を実行させることとしてもよい。又、情報責任者端末４３を独立して設けずに、情報提供装置２を情報責任者端末４３としても用いることとしてもよい。この場合情報提供装置２の入出力手段２１はキーボードやポインティングデバイス等の入力手段及びモニター、プリンター等の出力手段とのインターフェイスとしても用いられることとなる。そして、情報責任者端末４３に送信とはモニター、プリンター等に出力する意味であり、情報責任者端末４３から受信とはキーボードやポインティングデバイス等での入力を意味する。更に、情報責任者端末４３と情報提供装置２を接続するネットワーク３はＬＡＮであり、情報提供者端末４１、及び情報受給者端末４３と情報提供装置２を接続するネットワーク３はインターネットであってもよい。
【００５２】
次に情報提供の方法について説明する。本発明において、情報提供方法は情報提供者端末４１から送信された予定情報を情報蓄積装置２の予定情報データベース２２０へ記憶する予定情報の蓄積段階、予定情報データベース２２０へ記憶された予定情報を校閲して登録或いは変更する予定情報の校閲、変更段階、情報受給者からの要求に応じて予定情報データベース２２０へ記憶された予定情報を提供する予定情報の提供段階がある。何れの段階においても情報提供者端末４１、情報責任者端末４２及び情報受給者端末４３は先ず情報蓄積装置２へアクセスする必要がある。
【００５３】
その手順は図３に示すように、情報蓄積装置２は情報提供者端末４１、情報責任者端末４２及び情報受給者端末４３からのアクセス要求を受信しＳ１１１、情報蓄積装置２はメイン画面を情報提供者端末４１、情報責任者端末４２乃至情報受給者端末４３に送信してユーザーＩＤ、即ちパスワードの入力を促すＳ１１２。ユーザーＩＤを受信してＳ１１３、アクセス権限判断手段２３は該ユーザーＩＤが記憶手段２２のユーザー管理データベース２２２に記憶されたユーザーＩＤに一致するかを検索して、夫々のアクセス権限の有無を判断しＳ１１４、アクセス権限があると判断した場合には図４にその一例を示すインデックス画面を送信して情報の入力、情報の校閲或いは情報の閲覧のうち所望する処理の選択を促すＳ１１５、ないと判断した場合にはＳ１１２に戻り再度ユーザーＩＤの入力を促す。
【００５４】
情報提供者端末４１、情報責任者端末４２乃至情報受給者端末４３に表示されるインデックス画面には予定情報の入力や校閲、閲覧等を行う予定入力画面及び予定情報の閲覧、編集等を行う編集支援画面を要求するボタン６１，６２，６３が埋め込まれており、予定情報の入力、校閲、閲覧等を要求する場合には情報入力画面ボタン６１又は６２をクリックし、情報の閲覧、編集等を要求する場合には編集支援画面ボタン６３をクリックする。尚、アクセス権限は情報の提供のみ可能な権限、情報の閲覧のみ可能な権限、情報の提供、閲覧、校閲等総て可能な権限等様々なレベルに分類されてユーザー管理データベース２２２にユーザー毎に記憶されており、このアクセス権限の相違により例えば情報入力画面ボタン６１又は６２等の表示画面上のボタンが表示されなかったりクリックできなかったり、情報を要求してもその情報の重要度等により供給されない場合がある。又、情報提供装置２はアクセス権限の有無を判断する際にユーザーＩＤに従って情報提供者へ送信するページをデフォルトすることも可能である。以下夫々の段階に分けて説明する。
【００５５】
（予定情報の蓄積段階）先ず予定情報の蓄積段階について説明する。図５は予定情報の蓄積段階の情報提供装置２における処理の流れを示すフロー図である。情報提供者端末４１に表示されたインデックス画面において情報入力画面オンライン用ボタン６１又はオフライン用ボタン６２がクリックされて情報提供装置２に予定情報の登録要求がなされると、情報提供装置２は情報提供者端末４１からの情報登録要求を受信しＳ１０１、オンラインでの登録希望かオフラインでの登録希望かを判断するＳ１０２。オンラインでの登録希望の場合には図６にその一例を示すオンライン入力用画面を情報提供者端末４１へ送信して表示させさせて予定情報の入力と送信を促すＳ１０３。オンライン入力用画面に組み込まれた新規作成ボタン６４のクリックにより情報入力欄６６が表示される。オフラインでの登録希望の場合には同様のオフライン入力用画面を情報提供者端末４１へ送信して表示させて予定情報の入力を促しＳ１０４。そして、情報提供者端末４１にて情報が入力され、サーバーへ登録ボタン６７がクリックされると、情報提供者端末４１から予定情報を受信しＳ１０５、登録処理手段２４が該予定情報に情報ＩＤを付与してＳ１０６、予定情報データベース２２０へ記憶するＳ１０７。ここで記憶される予定情報は校閲済み情報が付加されていない情報、即ち未校閲情報として記憶される。
【００５６】
図７はオフラインを用いて予定情報の登録を要求する場合の情報提供者端末４１の処理の流れを示すフロー図である。先ず、情報提供装置２との接続を行い、インデックス画面においての情報入力画面オフライン用ボタン６２がクリックされて情報提供装置２にオフラインを用いた予定情報の登録を要求するＳ２０１。情報提供装置２は情報提供者端末４１の情報の登録要求に従って情報提供者にオフライン画面と送信プログラムを送信する。情報提供装置２からオフライン入力用画面と一括送信プログラムを受信しＳ２０２、記憶するＳ２０３。その後情報提供装置２との接続を切断しＳ２０４、記憶した入力用画面を表示して予定情報の入力をして入力された情報を記憶するＳ２０５。情報提供装置２との接続を回復しＳ２０６、一括送信プログラムを用いて予定情報を送信するＳ２０７。詳しくは、一括送信プログラムを開くと記憶された予定情報が情報毎にシート別に表示され（図８）、サーバーへボタン８１をクリックすると情報提供装置２へ表示された予定情報が一括送信される。情報提供装置２では該情報を受信して予定情報データベース２２０へ記憶する。このようにオフラインを用いることにより情報提供者端末４１にて予定情報を入力中は情報提供装置２との接続を切断しておくことが可能となり、接続回線の占有を防止して、予定情報の入力者も接続時間等を気にせずに時間的余裕を持って入力が可能となる。
【００５７】
オンライン入力用画面及びオフライン入力用画面は図６に示すように予定情報の題名、日程、内容、開催場所、主催者、重要度（階層）、ジャンル、情報提供者、情報提供者以外のものへの注意喚起等を入力可能な備考欄６６１等の項目を備える入力欄６６が設けられており、日程、ジャンル等はプルダウンメニューから選択して入力可能となっている。又、開催場所は建物名を入力すればその住所、電話番号等が入力欄に張り付く構成となっている。これにより情報提供者の入力の手間を省くこと及び誤入力を防止することが可能となる。
【００５８】
重要度は情報の重要度を意味し、例えばどのレベルのユーザーにその情報を開示するかを決定するものであり、例えば６程度の適宜の階層に分類されている。ジャンルは例えば大分類及び中分類の二階層に別れて設定されており、複数のジャンルを入力することも可能である。他者注意喚起を入力可能な備考欄６６１は例えば情報の提供者が特定の情報受給者にその予定情報を見てほしい場合などに、その相手の名前、所属部署等を入力する欄である。この欄に入力された情報は予定情報が提供される際にその予定情報の一部として表示され、又、本来はその予定情報へのアクセス権限を有さない情報受給者へもその者への注意を喚起された予定情報が提供される。具体的には、例えば通信社の政治部が入力してアクセス権限が本来は政治部に所属するユーザーのみの予定情報であるが、備考欄６６１に外信部との入力があった場合には外信部のユーザーにもアクセス権限がある予定情報として記憶され、適宜外信部のユーザーからのアクセスに対して当該予定情報を提供する。
【００５９】
情報提供者の情報の入力を容易にするために入力シートではプルダウンメニューを多用する等しているが、更に容易とするために、以下の方法を採用することができる。図９は新規情報の登録時における情報提供装置２の処理の流れを示すフロー図である。先ず、情報提供者端末４１に情報の選択を促すＳ２１１。具体的には情報提供者端末４１において表示されたオンライン入力画面の検索ボタン６８がクリックされると検索用の入力欄が表示されるので、適宜条件を入力して情報の選択をする。選択された情報を記憶された情報から抽出しＳ２１２、抽出した情報を情報提供者端末４１に送信して新規登録を促すＳ２１３。この時情報提供者端末４１には選択された情報が表示され、情報の題名をクリックすると選択ボタンを含む小ウインドウに情報の詳細が表示され、選択ボタンがクリックされることで情報提供装置２へ該情報を利用した新規情報の登録要求がなされる。情報提供者端末４１から提供した情報の新規登録要求を受信した場合Ｓ２１４、提供した情報の少なくとも１項目が空欄の情報を生成しＳ２１５、該情報を情報提供者端末４１へ送信し該空欄部への情報の記入を促すＳ２１６。そして、情報提供者端末４１から空欄が記入された情報を受信しＳ２１７、該受信した情報に新たな情報ＩＤを付与して未校閲予定情報として記憶するＳ２１８。この場合の空欄を例えば年月日とすれば、毎年行われるお祭りの情報等の入力に際して去年の情報を用いて年月日のみを入力する作業だけで新規の予定情報の入力が完成して入力の容易化が図ることが出来る。
【００６０】
（予定情報の校閲、変更段階）予定情報データベース２２０に記憶された校閲済み情報が付加されていない未校閲予定情報は不正確、不完全な情報である場合があるので、情報提供者以外の第三者或いはその情報の責任者が校閲をすることが望ましい。又、未校閲予定情報の情報提供者が情報提供後にその情報の誤りに気づき、その情報の訂正或いは削除を希望することもある。この場合に訂正、削除をすることにより最新で正確な情報の提供を担保することが可能となる。図１０は予定情報の校閲、変更段階の情報提供装置２における処理の流れを示すフロー図である。情報提供装置２は情報提供者端末４１又は情報責任者端末４２からの校閲又は変更処理要求を受信するＳ３０１。情報提供者端末４１又は情報責任者端末４２は校閲又は変更処理要求を行うに際しモニターに表示された情報入力画面の未校閲予定一覧ボタン６５をクリックすることにより行う。情報提供装置２はかかる未校閲予定一覧ボタン６５を含む情報入力画面を表示させることにより情報の選択を促している。アクセス権限判断手段２３は情報提供者端末４１又は情報責任者端末４２からのアクセスであるかをログイン時のＩＤをアクセス者管理データベース２２２から検索して判断しＳ３０２、情報責任者端末４２からのアクセスである場合にはＳ３０３、情報提供者端末４１からのアクセスである場合にはＳ３０８の処理をする。
【００６１】
情報責任者端末４２からのアクセスである場合には予定情報データベース２２０から校閲済み情報が付加されていない総ての未校閲予定情報を抽出しＳ３０３、情報責任者端末４２へ未校閲予定情報を送信して校閲を促すＳ３０４。情報責任者端末４２に表示される画面には図１１にその一例を示すように未校閲予定情報の一覧が表示され、その題名をクリックすれば予定情報の詳細が表示される。訂正等ある場合には当該画面にて訂正した後に校閲済にするボタン９１をクリックして情報提供装置２に送信する。校閲後の予定情報を受信するとＳ３０５、登録処理手段２４が当該予定情報に校閲済みの情報を付加してＳ３０６、当該予定を予定情報データベース２２０に校閲済情報として記憶するＳ３０７。
【００６２】
一方情報提供者端末４１からのアクセスである場合には、予定情報データベース２２０から校閲済み情報が付加されていない且当該アクセスした情報提供者から提供された情報の未校閲予定情報を抽出しＳ３０８、情報提供者端末４１へ抽出された未校閲予定情報を送信して訂正を促すＳ３０９。情報提供者端末４１表示される画面には図１１にその一例を示すように未校閲予定情報の一覧が表示され、その題名をクリックすれば予定情報の詳細が表示される。訂正等ある場合には当該画面にて訂正した後に上書き保存ボタン９２をクリックして情報提供装置２に送信する。尚、情報提供者端末４１には校閲済にするボタン９１は表示されないこととすること或いは表示されていてもクリック不可に設定することが望ましい。訂正後の予定情報を受信するとＳ３１０、登録処理手段２４当該予定を未校閲予定情報として予定情報データベース２２０に記憶するＳ３１１。
【００６３】
このように予定情報データベース２２０に記憶される情報に校閲をして未校閲と校閲済の予定情報とすることで予定情報の正確性が担保されるが、校閲済予定情報を更に訂正する必要がある場合もある。その場合に先ず訂正前の予定情報を削除してから再登録した場合には予定の空白期間が発生してしまう。又、校閲済予定情報に上書きして登録すると校閲がされていない予定情報にもかかわらず校閲がされた情報として記憶されるために情報の正確性が担保できない。そこで、校閲済予定情報の訂正の際には以下に示す処理を行う。
【００６４】
図１２は校閲済予定情報を訂正する際の情報提供装置２における処理の流れを示すフロー図である。情報提供者端末４１において表示されたオンライン入力画面の検索ボタン６８がクリックされると検索用の入力欄が表示されるので、自己が提供し校閲済情報が付加された予定情報に合致する条件を入力して情報の選択をする。或いは情報提供者端末４１において表示されたオンライン入力画面の校閲済情報の総てが閲覧可能な予定素材一覧ボタン６０をクリックし情報の選択をしてもよい。情報提供装置２はこのような検索ボタン６８或いは予定素材一覧ボタン６０が表示された画面を情報提供者端末４１に表示させることにより情報の選択を促している。
【００６５】
情報提供装置２は情報提供者端末４１からの検索要求を受信しＳ４０１、予定情報データベース２２０から検索された且情報提供者のユーザーＩＤのアクセス権限の範囲内の予定情報を抽出しＳ４０２、情報提供者端末４１へ送信して訂正を促すＳ４０３。情報提供者端末４１には図１３に示すように選択された情報が表示され、予定情報のタイトルをクリックして該予定情報の詳細及び訂正入力するボタン９３が表示される。訂正入力するボタン９３がクリックされると図１４に示すように当該予定情報の入力欄９４が表示されるので、訂正入力をする。そして、訂正入力ボタン９５がクリックされると情報提供装置２に送信される。情報提供装置２は訂正された予定情報を受信しＳ４０４、訂正前の予定情報に付された情報ＩＤとは別の新たな情報ＩＤを付与するＳ４０５と共に、訂正前の情報の情報ＩＤを訂正後の予定情報の一部として含ませてＳ４０６、予定情報データベース２２０に未校閲予定情報として記憶するＳ４０７。このときに訂正前の予定情報はそのまま予定情報データベース２２０に保持される。その後訂正され新たな情報ＩＤを付与されて未校閲予定情報として記憶された予定情報は上述のように校閲処理をされ校閲済情報として記憶されるＳ４０８。訂正後の予定情報を登録処理手段２４により校閲済みの情報を付加して予定情報データベース２２０に記憶する際に、その情報の一部として含ませた訂正前の予定情報の情報ＩＤから訂正前の予定情報を抽出し、予定情報データベース２２０から削除するＳ４０９。
【００６６】
尚、訂正前の情報を削除するとは訂正前の予定情報を予定情報データベース２２０から削除することに限定されず、予定情報データベース２２０に記憶させつつ、図１５に示すように該予定情報を提供する際には情報を表示する文字部に削除線を設けることとしてもよい。訂正後の予定情報の提供の際には「訂正入力」や「ＮＥＷ」の文字を表示させ、削除された予定情報には「訂正あり」の文字を表示させて注意を喚起することは推奨される。
【００６７】
（予定情報の提供段階）次に上述のように蓄積された予定情報の提供について説明する。図１６は情報受給者端末４３から情報の提供を要求された場合の情報提供装置２の処理の流れを示すフロー図である。情報提供装置２は情報受給者端末４３から情報提供要求を受信しＳ５０１、検索画面を送信して検索を促すＳ５０２。情報受給者端末４３に表示されて検索を促す画面には図１７に示すように情報の重要度の階層に対応してチェックボックス７１が組み込まれ、予定情報の重要度の選択をも要求している。通常は「すべて」についてのチェックボックスしか表示されていないが「ＭＯＲＥ」ボタン７３をクリックすると重要度の階層及びそれに対応したチェックボックスが表示されるようになっている。又、未校閲予定情報の要否をも検索条件としてもよい。情報受給者端末４３において検索条件が指定され検索を開始するボタン７２がクリックされると情報提供装置２に検索条件が送信され、情報提供装置２は検索条件を受信しＳ５０３、検索条件に合致即ち選択された情報且アクセス権限の範囲内の予定情報を抽出するＳ５０４。アクセス権限の範囲内か否かはアクセス時に入力したユーザーＩＤのユーザーが有する情報の重要度におけるアクセス権限をユーザー管理データベース２２２からアクセス権限判断手段２３が判断し決定する。そして、コンテンツ作成手段２６がコンテンツ、ここでは図１８に示す予定情報のタイトル、内容の一部、情報提供者等が一覧表示される予定情報一覧画面を作成して情報供給者端末４３へ送信し、予定情報を提供するＳ５０５。予定情報のタイトルをクリックすれば小ウインドウで詳細な情報が表示される。尚、情報が提供される際には各情報が校閲済情報か未校閲情報かの別が例えばチェックボックスのチェックの有無により表示される。
【００６８】
このように予定情報は先ず、予定情報の一部を表示した形式で提供されるが、情報受給者にとって情報提供者の情報は不要であり、情報の内容がわかればよい場合、複数の予定情報の内容を同時に表示させたい場合又はＣＳＶ形式、ＸＭＬ形式でのデータを得たい場合等もあるので、提供される情報を情報受給者が選択して他の形式で受給することも可能としている。ここで形式とは表示形式のみならずデータ形式をも含むものである。情報受給者端末４３へ送信される画面には図１９に示すように電文作成ボタン７７、図２１に示すように表作成を要求する来週の予定ボタン８９、図２３に示すようにＣＳＶ出力ボタン９９が埋め込まれており、情報受給者端末４３に利用方法の選択を促しており、情報受給者は希望する形式に変換した予定情報を得ることが可能である。又、提供された予定情報一覧画面ではユーザーの所望の順序で予定情報をソートできることとすることが望ましい。
【００６９】
情報の電文形式への変換を行う場合には、情報受給者端末４３において表示された情報入力画面の日付入力欄７８にて期間を指定して電文作成ボタン７７をクリックすることにより電文作成を要求する。情報提供装置２は該要求を受信すると該期間の予定情報を抽出して情報受給者端末４３に送信して表示させる。図１９に示すように予定情報に対応して選択チェックボックス７９，７９…が備えられている。情報受給者端末４３へ送信されるこの予定情報一覧画面にて使用する情報の選択を促し、情報受給者端末４３にて選択チェックボックス７９，７９…にチェックを入れて電文作成ボタン７５がクリックされることにより情報提供装置２は指定された情報の電文作成要求を受信し、電文作成手段２８が指定された情報を電文形式に変換してファイルとして生成し、情報受給者端末４３に送信する。情報受給者端末４３には図２０に示すように電文が表示される。
【００７０】
情報の表形式への変換を行う場合には、情報受給者端末４３において表示された情報入力画面の来週の予定ボタン８９をクリックすることにより表作成を要求する。情報提供装置２は図２１にその一例を示す検索画面を情報受給者端末４３へ送信、表示させて使用する情報の選択を促し、情報受給者端末４３にて検索条件の入力後に来週の予定を作成するボタン８８がクリックされることにより情報提供装置２は指定された情報と表作成要求を受信する。表作成手段２９が指定された情報を表形式に変換してファイルとして生成し、情報受給者端末４３に送信し図２２に示すように表を表示する。尚、指定された情報のうち一定期間の情報のみを選択してその期間の予定情報のみの表を得ることも可能である。
【００７１】
情報のＣＳＶ形式への変換を行う場合には、情報提供装置２は情報受給者端末４３において表示された情報受給者端末４３にて使用する情報の選択を促し、選択された情報を抽出して情報受給者端末４３に送信し、表示させる。この表示画面には図２３に示すようにＣＳＶ出力ボタン９９が表示され、情報受給者端末４３にてＣＳＶ出力ボタン９９がクリックされることにより情報提供装置２は選択された情報とＣＳＶ出力要求を受信する。変換手段２７が指定された情報をＣＳＶ形式に変換してファイルとして生成し、図２４に示すように情報受給者端末４３に送信する。同様にＣＳＶデータのほかＸＭＬデータとしての提供も可能である。
【００７２】
【発明の効果】以上のような本発明によれば、多数の情報提供者から送信される様々な情報を効率よく正確且最新の情報として一元管理すると共に、これらの情報から利用者の所望の情報を一度に提供することが可能となった。又、情報の蓄積に際して通信回線の占有の回避を可能とすることが可能となった。又、情報を蓄積する際の入力手続きを容易にすることが可能となった。又、利用者のアクセス権に応じた情報を提供すると共に、利用者はアクセス権の範囲において所望の情報量の取得が可能になった。又、多数ある情報から利用者が必要な情報の選択を容易にすることが可能となった。情報受給者が提供された情報の利用、加工を容易にすることが出来た。
【図面の簡単な説明】
【図１】本発明情報提供システムの一実施例の概念図
【図２】本発明情報提供装置の一実施例の機能的構成ブロック図
【図３】本発明情報提供装置へのアクセス時の情報提供装置における処理の流れを示すフロー図
【図４】本発明一実施例のインデックス画面
【図５】予定情報の蓄積段階の情報提供装置における処理の流れを示すフロー図
【図６】本発明一実施例のオンライン入力用画面
【図７】オフラインを用いて予定情報の登録を要求する場合の情報提供者端末の処理の流れを示すフロー図
【図８】本発明一実施例の一括送信プログラム画面
【図９】新規情報の登録時における情報提供装置の処理の流れを示すフロー図
【図１０】予定情報の校閲、変更段階の情報提供装置における処理の流れを示すフロー図
【図１１】本発明一実施例の情報責任者端末に表示される未校閲予定情報の一覧表示画面
【図１２】校閲済予定情報を訂正する際の情報提供装置における処理の流れを示すフロー図
【図１３】本発明一実施例の情報提供者端末に表示される訂正入力時の画面
【図１４】本発明一実施例の情報提供者端末に表示される訂正入力時の画面
【図１５】本発明一実施例の情報提供者端末に表示される訂正入力後の画面
【図１６】情報受給者端末から情報の提供を要求された場合の情報提供装置の処理の流れを示すフロー図
【図１７】本発明一実施例の情報検索画面
【図１８】本発明一実施例の情報検索後の画面
【図１９】本発明一実施例の電文作成画面
【図２０】本発明一実施例の電文作成後の画面
【図２１】本発明一実施例の表作成時の情報検索画面
【図２２】本発明一実施例の表作成後の画面
【図２３】本発明一実施例のＣＳＶ出力要求画面
【図２４】本発明一実施例のＣＳＶ出力後の画面
【符号の説明】
１      情報提供システム
２      情報提供装置
２１    入出力手段
２２    記憶手段
２２０  予定情報データベース
２３    アクセス権限判断手段
２４    登録処理手段
２５    情報抽出手段
２６    コンテンツ作成手段
２７    データ形式変換手段
２８    電文作成手段
２９    表作成手段
３      ネットワーク
４１    情報提供者端末
４２    情報責任者端末
４３    情報受給者端末
【図１】
2004288001.tif 000003
【図２】
2004288001.tif 000004
【図３】
2004288001.tif 000005
【図４】
2004288001.tif 000006
【図５】
2004288001.tif 000007
【図６】
2004288001.tif 000008
【図７】
2004288001.tif 000009
【図８】
2004288001.tif 000010
【図９】
2004288001.tif 000011
【図１０】
2004288001.tif 000012
【図１１】
2004288001.tif 000013
【図１２】
2004288001.tif 000014
【図１３】
2004288001.tif 000015
【図１４】
2004288001.tif 000016
【図１５】
2004288001.tif 000017
【図１６】
2004288001.tif 000018
【図１７】
2004288001.tif 000019
【図１８】
2004288001.tif 000020
【図１９】
2004288001.tif 000021
【図２０】
2004288001.tif 000022
【図２１】
2004288001.tif 000023
【図２２】
2004288001.tif 000024
【図２３】
2004288001.tif 000025
【図２４】
2004288001.tif 000026